(57)【要約】【課題】被搬送物の出し入れやその出し入れに関与するオペレータの管理ができ、また、被搬送物の出し入れ時のオペレータの動きが少なくて済む温度管理搬送ボックスを提供する。【解決手段】部品格納部３は、情報読取部４１と表示部４０と、断熱容器５に対して断熱蓋体６が開かないように自動ロックするロック手段４４，４５を備え、情報読取部４１とロック手段４４，４５は部品格納部３のオペレータ立ち位置側に設け、表示部４０は情報読取部４１よりも奥側に設けた。【選択図】図４
2015131081.tif 000002
【特許請求の範囲】
【請求項１】
上方に向けて開放した開口部を有する断熱容器と、上方に向けて開放した開口部を有し、前記断熱容器の内側に装着されて被搬送物を収容する伝熱容器と、前記断熱容器の奥側上端部にヒンジ部を介して支持されて前記断熱容器の開口部を開閉する断熱蓋体と、前記伝熱容器に熱的に接続されたペルチェ素子を有する電子温度調整ユニットと、前記伝熱容器内の温度を制御する温度センサーを備えたボックス本体部と、
そのボックス本体部に隣接して一体に設けられた部品格納部を有し、
その部品格納部は、前記ボックス本体部から出し入れする被搬送物の個別情報ならびにオペレータ毎のＩＤ情報を読み取る情報読取部ならびに前記温度センサーにより検出された温度情報を表示する表示部を有する記録・表示ユニットと、前記断熱容器に対して断熱蓋体が開かないように自動的にロックするロック手段を備え、
前記情報読取部ならびにロック手段は前記部品格納部のオペレータ立ち位置側となる当該温度管理搬送ボックスの手前側に設け、前記表示部は前記情報読取部よりも当該温度管理搬送ボックスの奥側に設けたことを特徴とする温度管理搬送ボックス。
【請求項２】
請求項１に記載の温度管理搬送ボックスにおいて、
前記記録・表示ユニットは、前記情報読取部と表示部の他に操作スイッチと、前記表示部と操作スイッチの上を覆い、前記情報読取部の上は覆わないで開閉可能な透明保護板を有していることを特徴とする温度管理搬送ボックス。
【請求項３】
請求項１に記載の温度管理搬送ボックスにおいて、
前記ロック手段は、前記断熱蓋体が断熱容器の開口部を閉じたことを検出する蓋閉じ検出手段と、その蓋閉じ検出手段からの検出信号に基づいて前記断熱容器に対して断熱蓋体が開かないように自動的に動作する電磁ソレノイドを有していることを特徴とする温度管理搬送ボックス。
【請求項４】
請求項１または３に記載の温度管理搬送ボックスにおいて、
前記断熱容器に対して断熱蓋体が開かないように自動的にロックするロック手段の他に第２のロック手段を、前記断熱容器と断熱蓋体のオペレータ立ち位置側となる当該温度管理搬送ボックスの手前側に設けたことを特徴とする温度管理搬送ボックス。
【請求項５】
請求項１、３、４のいずれか１に記載の温度管理搬送ボックスにおいて、
前記記録・表示ユニットには前記オペレータ毎のＩＤ情報が登録されており、
被搬送物を出し入れしようとするオペレータのＩＤ情報を前記情報読取部で読み取り、その読み取ったＩＤ情報と前記登録ＩＤ情報が一致しているときは、前記断熱容器に対して断熱蓋体が開かないように自動的にロックしているロック手段のロック状態を解除し、
前記読み取ったＩＤ情報と前記登録ＩＤ情報が不一致のときは、断熱容器に対して断熱蓋体が開かないように自動的にロックしているロック手段のロック状態を解除しない構成になっていることを特徴とする温度管理搬送ボックス。
【発明の詳細な説明】
【技術分野】
【０００１】  本発明は、例えば血液製剤など厳密な温度管理が必要な被搬送物を収容して温度管理しながら必要な場所に搬送する温度管理搬送ボックスに関するものである。
【背景技術】
【０００２】  血液製剤は、それの精製から輸血までの段階で厳密な温度管理が必要とされており、赤血球の保存に適した第１の温度帯域（２℃〜６℃）、または血小板の保存に適した第２の温度帯域（２０℃〜２４℃）、それと凍結血漿の保存に適した第３の温度帯域（−２０℃以下）に分けて温度を維持管理するように要求されている。
そのため、血液製剤を一定温度に保管する冷蔵庫では、庫内温度分布も血液製剤の保管温度範囲内に維持されていることが要求されている。【０００３】  血液製剤の精製工程では、専用の冷蔵庫で血液製剤の保管温度範囲で管理されているが、血液センターから各病院などへの搬送時は、外部電源がない状態で、長時間精密に温度維持できるポータブル式の搬送庫で要求を十分に満足するものが無いのが現状である。
そのため、特に離島などの遠隔地では血液製剤の使用が制約されている。離島などでは、船を使用するため、電源なしで数時間稼働させる必要があり、小型軽量でしかも省エネ効果の高い保冷搬送庫が必要となる。【０００４】  図８と図９は特開２００８−８６６０８号公報（特許文献１）に記載された血液製剤の搬送装置を説明するための図で、図８はその血液製剤の搬送装置の正面側を切断した切断正面図、図９はその搬送装置の側面側を切断した切断側面図である。【０００５】  この搬送装置は、上部に開口部１０１（図９参照）を有する断熱容器１０２と、その開口部１０１を覆うように着脱可能に取り付けられた温度制御ユニット１０３から構成されている。【０００６】  断熱容器１０２は、右壁部１０４Ａと、左壁部１０４Ｂと、前壁部１０４Ｃと、後壁部１０４Ｄと、底壁部１０４Ｅと、前記開口部１０１を形成した天壁部１０４Ｆから構成されている。【０００７】  図９に示すように前壁部１０４Ｃは、それの上部が上開き可能なように底壁部１０４Ｅ側に揺動可能に取り付けられ、前壁部１０４Ｃの上端は天壁部１０４Ｆの前側端に着脱可能に連結されている。前壁部１０４Ｃを開けた際に断熱容器１０２内の冷気を外部に逃がさないように樹脂シート１０５が天壁部１０４Ｆから吊り下げられている。【０００８】  図８に示すように、右壁部１０４Ａと左壁部１０４Ｂの外側には、把持ベルト１０６の両端部が固定されている。天壁部１０４Ｆの上には、補助バッテリ１０７が外付けで固定されている。底壁部１０４Ｅの上には、血液製剤Ｐを収容する籠状のバスケット１０８が取り外し可能に載置されている。【０００９】  図１０は、温度制御ユニット１０３の詳細を示す拡大断面図である。温度制御ユニット１０３は外ケース１１５で覆われており、外ケース１１５の内部は断熱壁１０９により、温度制御ユニット１０３の外部と連通する機械室１１０と、温度制御ユニット１０３内と連通する冷却室１１１に区画されている。機械室１１０と冷却室１１１の境界部近傍に、断熱壁１０９が延びている。【００１０】  この断熱壁１０９には、スターリング冷凍機１１２の吸熱部１１３を挿通するための貫通穴１１４が形成されている。外ケース１１５には、機械室１１０と外部とを連通させる吸気口１１６（図８参照）と排気口（図示せず）が所定の位置に形成されている。
外ケース１１５の下部には、冷却室１１１と断熱容器１０２内とを連通するための吸気口１１７が形成されている。【００１１】  機械室１１０には、冷凍機ユニット１１８が収容されている。この冷凍機ユニット１１８は、筒状のケーシング１１９と、このケーシング１１９内に収容されたスターリング冷凍機１１２と、排気口側に設けられて排気ファン（図示せず）を有している。【００１２】  ケーシング１１９の一端は開口しており、その開口からスターリング冷凍機１１２の吸熱部１１３が突出しており、吸熱部１１３の基端部側は放熱フィン１２１で取り囲まれて熱的に接続されている。吸熱部１１３の先端部側には伝熱ブロック１２２が取り付けられており、吸熱部１１３と伝熱ブロック１２２が貫通穴１１４から冷却室１１１に露出している。【００１３】  伝熱ブロック１２２にはヒートシンク１２３が取り付けられており、ヒートシンク１２３にはフィン１２４が形成されている。ヒートシンク１２３の背面には、シーズヒータ１２５が取り付けられている。【００１４】  ヒートシンク１２３と対向するように、冷却ファン１２６が設けられている。冷却ファン１２６を回転させることで、吸気口１１７からヒートシンク１２３を通過し、機械室１１０の下方を通って排気口１２７に至る通風路１２８が構成される。冷却ファン１２６の上流側に、温度センサー１２９が設けられている。【００１５】  次にこの搬送装置の動作について説明する。
通風路１２８内に設けられた温度センサー１２９からの信号に基づいて、断熱容器１０２内の温度が設定された温度帯域より高いと判断された場合は、設定された温度帯域になるまで、スターリング冷凍機１１２を作動させ、スターリング冷凍機１１２の吸熱部１１３に熱的に接続されたヒートシンク１２３により、通風路１２８を流れる空気の熱を吸収し、通風路１２８と断熱容器１０２の内部とを循環する空気の温度を下げる。
設定された温度帯域になると、その温度帯域であり続けるように、スターリング冷凍機１１２を制御する。【００１６】  逆に、通風路１２８内に設けられた温度センサー１２９からの信号に基づいて、断熱容器１０２内の温度が設定された温度帯域より低いと判断された場合は、設定された温度帯域になるまで、シーズヒータ１２５を作動させ、シーズヒータ１２５に熱的に接続されたヒートシンク１２３により、通風路１２８を流れる空気を加熱し、通風路１２８と断熱容器１０２の内部とを循環する空気の温度を上げる。【００１７】  設定された温度帯域になると、その温度帯域であり続けるように、シーズヒータ１２５を制御する。
【先行技術文献】
【特許文献】
【００１８】
【特許文献１】特開２００８−８６６０８号公報
【発明の概要】
【発明が解決しようとする課題】
【００１９】  血液製剤Ｐは人命の安全に関わるものであるが、この搬送装置は、血液製剤Ｐの出し入れやその出し入れに関与するオペレータの管理について配慮されていない。また、血液製剤Ｐを出し入れする際のオペレータの円滑な動きなどについても配慮されていない。【００２０】  さらにこの搬送装置は、装置内部にスターリング冷凍機１１２、シーズヒータ１２５、通風路１２８などを備えているため、搬送装置の重量が重く、大型化する傾向にあり、持ち運びに支障をきたす。【００２１】  また、血液製剤Ｐの出し入れの際は図９に示すように、前壁部１０４Ｃを手前に倒してバスケット１０８を断熱容器１０２から出し入れする訳であるが、前壁部１０４Ｃを手前に倒した際に断熱容器１０２内の冷気が外部に流れ出ることがある。【００２２】  この冷気の外部流出を防ぐために樹脂シート１０５が前壁部１０４Ｃの内側に吊り下げられているが、冷気の外部流出を完全に防ぐことはできず、断熱容器１０２内の温度が変動し、温度管理が不安定になり易い。また、樹脂シート１０５が吊り下げられていると、バスケット１０８の出入時に邪魔になり、取扱い性が悪い。【００２３】  さらに、スターリング冷凍機１１２は−２０℃以下の極低温の冷熱源を使用するため、ヒートシンク１２３の定期的な霜取り等の煩雑な作業が必要である。【００２４】  本発明の目的は、このような従来技術の問題を解消し、被搬送物の出し入れやその出し入れに関与するオペレータの管理ができ、また、被搬送物の出し入れ時のオペレータの動きが少なくて済む温度管理搬送ボックスを提供することにある。
【課題を解決するための手段】
【００２５】  前記目的を達成するため、本発明の第１の手段は、
上方に向けて開放した開口部を有する断熱容器と、上方に向けて開放した開口部を有し、前記断熱容器の内側に装着されて被搬送物を収容する伝熱容器と、前記断熱容器の奥側上端部にヒンジ部を介して支持されて前記断熱容器の開口部を開閉する断熱蓋体と、前記伝熱容器に熱的に接続されたペルチェ素子を有する電子温度調整ユニットと、前記伝熱容器内の温度を制御する温度センサーを備えたボックス本体部と、
そのボックス本体部に隣接して一体に設けられた部品格納部を有し、
その部品格納部は、前記ボックス本体部から出し入れする被搬送物の個別情報ならびにオペレータ毎のＩＤ情報を読み取る情報読取部ならびに前記温度センサーにより検出された温度情報を表示する表示部を有する記録・表示ユニットと、前記断熱容器に対して断熱蓋体が開かないように自動的にロックするロック手段を備え、
前記情報読取部ならびにロック手段は前記部品格納部のオペレータ立ち位置側となる当該温度管理搬送ボックスの手前側に設け、前記表示部は前記情報読取部よりも当該温度管理搬送ボックスの奥側に設けたことを特徴とするものである。【００２６】  本発明の第２の手段は前記第１の手段において、
前記記録・表示ユニットは、前記情報読取部と表示部の他に操作スイッチと、前記表示部と操作スイッチの上を覆い、前記情報読取部の上は覆わないで開閉可能な透明保護板を有していることを特徴とするものである。【００２７】  本発明の第３の手段は前記第１の手段において、
前記ロック手段は、前記断熱蓋体が断熱容器の開口部を閉じたことを検出する蓋閉じ検出手段と、その蓋閉じ検出手段からの検出信号に基づいて前記断熱容器に対して断熱蓋体が開かないように自動的に動作する電磁ソレノイドを有していることを特徴とするものである。【００２８】  本発明の第４の手段は前記第１または第３の手段において、
前記断熱容器に対して断熱蓋体が開かないように自動的にロックするロック手段の他に第２のロック手段を、前記断熱容器と断熱蓋体のオペレータ立ち位置側となる当該温度管理搬送ボックスの手前側に設けたことを特徴とするものである。【００２９】  本発明の第５の手段は前記第１、第３、第４の手段において、
前記記録・表示ユニットには前記オペレータ毎のＩＤ情報が登録されており、
被搬送物を出し入れしようとするオペレータのＩＤ情報を前記情報読取部で読み取り、その読み取ったＩＤ情報と前記登録ＩＤ情報が一致しているときは、前記断熱容器に対して断熱蓋体が開かないように自動的にロックしているロック手段のロック状態を解除し、
前記読み取ったＩＤ情報と前記登録ＩＤ情報が不一致のときは、断熱容器に対して断熱蓋体が開かないように自動的にロックしているロック手段のロック状態を解除しない構成になっていることを特徴とするものである。
【発明の効果】
【００３０】  本発明は前述のような構成になっており、被搬送物の出し入れやその出し入れに関与するオペレータの管理ができ、また、被搬送物の出し入れ時のオペレータの動きが少なくて済む温度管理搬送ボックスを提供することができる。
【図面の簡単な説明】
【００３１】
【図１】本発明の実施例に係る温度管理搬送ボックスの概略構成図である。
【図２】その搬送ボックスの断熱蓋体と保護板を共に閉じた状態の斜視図である。
【図３】その搬送ボックスの断熱蓋体と保護板を共に開いた状態の斜視図である。
【図４】その搬送ボックスの断熱蓋体と保護板を共に開いた状態の拡大平面図である。
【図５】その搬送ボックスに設けられているセキュリティ部の構成を説明する図である。
【図６】その搬送ボックスに設けられているセキュリティ部の構成を説明する図である。
【図７】血液製剤の平面図である。
【図８】従来提案された血液製剤搬送装置の正面側を切断した切断正面図である。
【図９】その搬送装置の側面側を切断した切断側面図である。
【図１０】その搬送装置内の温度制御ユニットの詳細を示す拡大断面図である。
【発明を実施するための形態】
【００３２】  次に本発明の実施例を図面とともに説明する。図１は、本発明の実施例に係る温度管理搬送ボックス（以下、搬送ボックスと略記する）の概略構成図である。
【００３３】  図１に示すように、この搬送ボックス１は、ボックス本体部２と部品格納部（以下、格納部と略記する）３とからなり、ボックス本体部２と格納部３は隣接して一体に接合されている。ボックス本体部２と格納部３は略同じ高さになっており、図示していないが、ボックス本体部２の一方の側面から格納部３の他方の側面にかけて、肩掛け用のベルトが取り外し可能に装着されている。
【００３４】  ボックス本体部２は、上方に開口部４（図３参照）を有する箱型の断熱容器５と、その断熱容器５の前記開口部４を開閉する断熱蓋体６と、例えば表面がアルマイト処理されたアルミニウムなどの熱伝導率ならびに熱輻射率が共に高い材質からなり、上方に開口部７を有し、その開口部７が前記断熱容器５の開口部４と同じ方向を向くようにして、断熱容器５の内側に装着した箱型の伝熱容器８と、その伝熱容器８の外面に接触して庫内９の温度を所定の温度帯域に維持する電子温度調整ユニット１０から主に構成されている。
【００３５】  前記断熱容器５は、容器ケーシング１１と、それに内包された断熱材１２とから構成されている。また、前記断熱蓋体６も、蓋体ケーシング１３と、それに内包された断熱材１４とから構成されている。
【００３６】前記断熱材１２、１４は、例えば注入硬質発泡ウレタン、真空断熱材、発泡スチロール、あるいはそれらの組み合わせで用いられる。前記容器ケーシング１１ならびに蓋体ケーシング１３は、例えばポリプロピレンやＡＢＳ樹脂などの合成樹脂、あるいは金属で構成されている。軽量と耐久性の面で特にポリプロピレンの成型品が好適である。
【００３７】  前記電子温度調整ユニット１０は、冷却側熱導体１８と、放熱側熱導体１９と、両者の間に介在されたペルチェ素子２０と、放熱側熱導体１９の外側に取り付けられた放熱フィン２１と、放熱フィン２１に冷却用空気を送風するファン（図示せず）から構成されている。
【００３８】  本実施例の場合、電子温度調整ユニット１０は伝熱容器８の１つの側壁の外面で、当該側壁の高さ方向の略中間位置に取り付けられている。電子温度調整ユニット１０のうち、少なくとも冷却側熱導体１８とペルチェ素子２０の外周面は、断熱容器５の一部によって取り囲まれている。
【００３９】  また、伝熱容器８の電子温度調整ユニット１０が取り付けられている前記側壁の内面には、例えば発泡スチロールシートなどの庫内断熱シート２２が貼り付けられている。
【００４０】  伝熱容器８の電子温度調整ユニット１０が取り付けられている部位は、他の部位に比べて温度が低くなり易く、伝熱容器８の均熱性を損なう心配がある。そのため前述のように、電子温度調整ユニット１０接合部付近に庫内断熱シート２２を取り付けることにより、他の部位に熱を回して、伝熱容器８の均熱性を促進している。
【００４１】  伝熱容器８の庫内９に血液製剤２３が収容されるが、伝熱容器８の電子温度調整ユニット１０が取り付けられている前記側壁の内面に、血液製剤２３が直接接触していると、部分的に冷え過ぎる可能性がある。そのために、前述のように庫内断熱シート２２を貼り付けて、血液製剤２３の局部的な過冷却を防止している。
図１において、符号２４は断熱容器５と断熱蓋体６の接合部に設けられたパッキングであり、これによって庫内９の気密性が維持されている。
【００４２】  前記格納部３には、電子温度調整ユニット１０に付設されている放熱フィン２１、その放熱フィン２１に冷却用空気を送風するファン（図示せず）、給電制御基板２５、１個もしくは複数個の２次電池２６、ＤＣジャック２７の差し込み基板１５、格納部３の上面側に設置された記録・表示ユニット２８などの各種部品が格納・設置されている。
【００４３】  前記給電制御基板２５には、伝熱容器８の電子温度調整ユニット取付部近傍に設置された給電制御用温度センサー２９からの温度検出信号が入力され、この検出信号に基づいて電子温度調整ユニット１０（ペルチェ素子２０）への給電量が制御される。給電制御用温度センサー２９からの温度検出信号は、記録・表示ユニット２８にも入力してサンプリング時刻とともに記録される。
【００４４】  また、給電制御基板２５には、前記記録・表示ユニット２８の付近あるいはその内部（通気が可能な構造になっている）に設置された搬送ボックス１の周囲環境温度を検出する環境温度検出用温度センサー３０からの温度検出信号がサンプリング時刻とともに入力される。
【００４５】  そして、ペルチェ素子２０への給電制御で庫内温度が一定に維持された状態で、ペルチェ素子２０に給電される電流値を周囲環境温度に合わせて調節するようになっている。環境温度検出用温度センサー３０の温度検出信号は、記録・表示ユニット２８にも入力してサンプリング時刻とともに記録される。
【００４６】  さらに、保冷している血液製剤２３の温度により近い温度（相当温度）が検出できる伝熱容器８の位置には、相当温度センサー３３が取り付けられている。この相当温度センサー３３からの温度検出信号は記録・表示ユニット２８に送信され、血液製剤２３の管理データとしてサンプリング時刻とともに記録される。
【００４７】  なお、相当温度センサー３３の設置位置は実験に基づいて予め決められており、本実施例の場合は、伝熱容器８の電子温度調整ユニット１０が取り付けられている側壁と対向する対向側壁３４に相当温度センサー３３が設置されている。
【００４８】  給電制御基板２５には、ペルチェ素子２０への給電の極性（プラス／マイナス）を切り替える極性切替え手段３１が設けられており、庫内温度が血液製剤２３の温度帯域の下限値より下がる前に、極性切替え手段３１により前記ペルチェ素子２０への給電の極性を切り替えて伝熱容器８を加温して、庫内温度の降下を防ぎ、庫内温度を血液製剤２３の温度帯域に維持する構成になっている
【００４９】  前記２次電池２６としては例えばリチウムイオン電池が用いられ、血液製剤２３の搬送中は２次電池２６からの給電１６によってペルチェ素子２０などが駆動される。本実施例では、予備の２次電池２６も装備されている。
【００５０】  また、ＤＣジャック２７にはＡＣアダプター３２が接続されており、ＤＣジャック２７を差し込み基板１５に差し込むことにより外部電源（交流電源や車の電源）の利用が可能となっている。そして、搬送ボックス１を例えば病院などで保冷庫としてそのまま利用する場合、外部電源（交流電源）でペルチェ素子２０などに給電しながら、２次電池２６を充電１７して次の搬送に備える。
【００５１】  そしてＤＣジャック２７を差し込み基板１５から引き抜くと、２次電池２６への充電１７は停止して、２次電池２６から給電制御基板２５への給電１６に自動的に切り替わるシステムになっている。
【００５２】  図１に示すように、伝熱容器８に血液製剤２３が収容され、前記電子温度調整ユニット１０（ペルチェ素子２０）、電源（内蔵２次電池２６、外部電源）、温度センサー２９，３０，３３、給電制御基板２５などで構成される庫内温度制御手段により、伝熱容器８の庫内温度が、少なくとも、赤血球の保存に適した第１の温度帯域（２℃〜６℃）、または血小板の保存に適した第２の温度帯域（２０℃〜２４℃）に維持されている。
【００５３】  図２は断熱蓋体６と保護板３５を共に閉じた状態での搬送ボックスの斜視図、図３は断熱蓋体６と保護板３５を共に開いた状態での搬送ボックスの斜視図、図４は断熱蓋体６と保護板３５を共に開いた状態での搬送ボックスの拡大平面図である。図２〜４において図の手前側が搬送ボックスの正面側で、オペレータ（取扱者）が血液製剤２３の出し入れなどを行うときに立ち位置側となる。
【００５４】  図３に示すように、断熱容器５の奥側にヒンジ部３６が設けられ、このヒンジ部３６によって断熱蓋体６の基端部が図２に矢印で示すように搬送ボックスの手前側と奥側の間で回動するように、断熱容器５に支持されている。
断熱容器５の手前側上部側面にラッチ本体３７が、また、断熱蓋体６の手前側側面にラッチ本体３７が係止する係止部３８が設けられている。
【００５５】  図４に示すように部品格納部３の上部には記録・表示ユニット２８が設けられ、その上面には、薄膜スイッチからなる各種の操作スイッチ３９、液晶表示パネル４０ならびに薄膜アンテナからなる情報読取部４１などが配置されている。
【００５６】  本実施例の場合図４に示すように、血液製剤２３の出し入れで使用頻度が比較的高い情報読取部４１が搬送ボックスの最も手前側（オペレータ立ち位置側）に、次に使用頻度が高い各種の操作スイッチ３９が情報読取部４１の後ろ側に、オペレータが見るだけの液晶表示パネル４０は操作スイッチ３９の後ろ側に、それぞれ配置されている。
【００５７】  図３に示すように、部品格納部３の奥側にヒンジ部４２が設けられ、このヒンジ部４２によって保護板３５の基端部が図２に矢印で示すように搬送ボックスの手前側と奥側の間で回動するように、部品格納部３に支持されている。
【００５８】  保護板３５は透明な合成樹脂板から構成されており、操作スイッチ３９が誤って押されるのを防止したり、操作スイッチ３９と液晶表示パネル４０の保護のために用いられる。そのため搬送ボックスの搬送中などのときは、図２に示すように保護板３５を倒して、操作スイッチ３９と液晶表示パネル４０を覆った状態になっている。なお、情報読取部４１は操作性の面から保護板３５で覆われないような形状、寸法になっている。
【００５９】  図５と図６は、搬送ボックスに設けられているセキュリティ部４３の構成を説明する図である。このセキュリティ部４３は、部品格納部３の手前側の断熱蓋体６と隣接する部分から、断熱蓋体６の手前側の部品格納部３と隣接する部分にかけて設けられている。
【００６０】  具体的には、部品格納部３の手前側の断熱蓋体６と隣接する部分に、断熱蓋体６の側面に向けて電磁ソレノイド４４と磁気センサー４５がほぼ平行に設置されている。なお、電磁ソレノイド４４と磁気センサー４５は、図３に示すように外部から見えないようにカバー部材４６で覆われている。また、部品格納部３の側面には、電磁ソレノイド４４のロックシャフト４７（図４、図５参照）の先端部を出し入れする切欠部５１（図３参照）が形成されている。
【００６１】  一方、断熱蓋体６の手前側の部品格納部３と隣接する部分には、断熱蓋体６を閉じた状態で、電磁ソレノイド４４のロックシャフト４７の先端部が嵌合するための開口４８（図６参照）を有する断面形状がキャップ状のシャフト受け部材４９（図５参照）が、電磁ソレノイド４４と対向して設置されている。
また、断熱蓋体６を閉じた状態で磁気センサー４５と対向する位置には、永久磁石５０（図５参照）が設置されている。
【００６２】  図３の状態から断熱蓋体６を手前に倒して断熱容器５の開口部４を閉じると、永久磁石５０は磁気センサー４５に近接し、磁気センサー４５は断熱蓋体６が閉じたことを検出する。この検出信号に基づいて、電磁ソレノイド４４は自動的にロックシャフト４７を突出して、その先端部をシャフト受け部材４９に嵌合し、断熱蓋体６が不用意に開かないように自動的にロックされる。
【００６３】  この状態で断熱蓋体６を無理やり開こうとすると、電磁ソレノイド４４やシャフト受け部材４９が破損する可能性がある。そのため本実施例では、電磁ソレノイド４４−シャフト受け部材４９の第１のロック手段とは別にラッチ本体３７−係止部３８の第２のロック手段を併設している。そして断熱蓋体６を閉じた後、鍵型をしたラッチ本体３７を動かして係止部３８に係止して２重ロックできる構成になっている。
【００６４】  血液製剤２３は人命の安全に関わるものであり、適正に管理されているかの判断として、搬送ボックスから出し入れする血液製剤２３の個別情報と、それを取り扱うオペレータのＩＤ情報は重要である。
【００６５】  図７は血液製剤２３の平面図であり、二重の袋で密閉されて、袋に血液製剤２３の個別情報を記憶したＩＣタグ５２が貼着されている。また、オペレータは各自のＩＤ情報を記憶したＩＣカード（図示せず）を携帯している。
【００６６】  搬送ボックスから血液製剤２３を出し入れする際には、オペレータはＩＣカードを情報読取部４１に近づけて、ＩＣカードに記憶されているＩＤ情報が記録・表示ユニット２８に予め登録されているＩＤ情報かどうかを記録・表示ユニット２８で判断する。
【００６７】  ＩＤ情報が不一致の場合は、記録・表示ユニット２８に設けられている液晶表示パネル４０および（あるいは）警報部（図示せず）から、ＩＤ情報が不一致である旨の警報を出力する。また、セキュリティ部４３の電磁ソレノイド４４は、ロック解除されないままの状態に維持されている。
【００６８】  ＩＤ情報が一致している場合は、一致信号に基づいて電磁ソレノイド４４のロックシャフト４７をシャフト受け部材４９から後退させ、電磁ソレノイド４４−シャフト受け部材４９のロック手段のロック状態を解除する。そして、液晶表示パネル４０では、ラッチ本体３７によるロックを外して、断熱蓋体６を開けるように表示する。また、警報部（図示せず）からは、ラッチ本体３７によるロックを外して、断熱蓋体６を開けるように音声で報知する。
【００６９】  オペレータはその指示に従って、ラッチ本体３７によるロックを外して、断熱蓋体６を開け、血液製剤２３の出し入れの際には血液製剤２３に付けられているＩＣタグ５２（図７参照）を情報読取部４１に近づけて、ＩＣタグ５２の記憶されている当該血液製剤２３の個別情報を読み取り、それを血液製剤２３の出し入れ時刻と共に記録・表示ユニット２８に記録する。
【００７０】  血液製剤２３の出し入れが終り、断熱蓋体６を閉じることにより電磁ソレノイド４４−シャフト受け部材４９の第１のロック手段は自動的にロック状態になる。その後、ラッチ本体３７を操作してラッチ本体３７−係止部３８の第２のロック手段もロック状態にする。
【００７１】  記録・表示ユニット２８には、血液製剤２３の出し入れの日時、血液製剤２３を取り扱ったオペレータのＩＤ情報、出し入れした血液製剤２３の個別情報などが記録される。
【００７２】  また記録・表示ユニット２８には、各温度センサー２９、３０，３３からの検出温度とサンプリング時刻が時系列に記録されている。記録・表示ユニット２８に記録されている各種データは、必要に応じて操作スッチ３９を用いて液晶表示パネル４０に表示することができる。
【００７３】  図３に示すように、断熱蓋体６が手前側から奥側に向けて開閉するように取り付けられており、しかも断熱容器５（ボックス本体部２）の開口部４と部品格納部３の操作スイッチ３９ならびに情報読取部４１が同一平面上の配置されている。そのため血液製剤２３の出し入れ時に、オペレータは余分な動きをすること無く、迅速に血液製剤２３の出し入れが可能である。
【００７４】  この実施例では血液製剤を搬送する場合について説明したが、本発明はこれに限定されるものではなく、例えばｉＰＳ細胞、移植する各種臓器、酵素、各種バイオ試料など温度管理が必要な他の被搬送物を搬送する場合にも適用することができる。
【００７５】  またこの実施例では、凍結を含む低温状態で被搬送物を搬送する場合について説明したが、本発明はこれに限定されるものではなく、高温状態で被搬送物を搬送する温度管理搬送ボックスにも適用可能である。高温状態で被搬送物を搬送する場合は、ペルチェ素子２０の極性を低温状態とは逆極性にして、庫内の温度管理を行えばよい。
【００７６】  さらにこの実施例では、一つのボックス本体部２の片側に一つの部品格納部３を配置した例を説明したが、本発明はこれに限定されるものではなく、一つのボックス本体部２の両側にそれぞれ部品格納部３を配置することも可能である。
【００７７】またこの実施例では、断熱蓋体６が断熱容器５の開口部４を閉じたことを自動的に検出する蓋閉じ検出手段として、磁気センサー４５と永久磁石５０を用いたが、例えば発光素子と受光素子からなる光学的センサーやマイクロスイッチなどの機械的センサーなど他の蓋閉じ検出手段を用いることも可能である。
【００７８】  本発明の請求項別の作用効果を示せば、下記の通りである。
請求項１に係る発明では、被搬送物の出し入れやその出し入れに関与するオペレータの管理ができる。また、情報読取部を部品格納部の手前側に設けることにより、被搬送物の出し入れ時のオペレータの動きが少なくて済み、操作性の向上が図れる。
【００７９】  さらに、ロック手段を部品格納部の手前側に設けることにより、ロック手段を小さくしても大きなロックカが得られる。なお、表示部は情報読取操作に関係ないから奥側に配置している。
【００８０】  請求項２に係る発明では、表示部と操作スイッチが透明な保護板で覆われているから、表示部と操作スイッチの保護、ならびに操作スイッチが誤って押されるのを防止することができる。なお、情報読取部はその操作性の面から保護板で覆わないようになっている。
【００８１】  請求項３に係る発明では、ロック手段が、断熱蓋体が断熱容器の開口部を閉じたことを検出する蓋閉じ検出手段と、その蓋閉じ検出手段からの検出信号に基づいて断熱容器に対して断熱蓋体が開かないように動作する電磁ソレノイドを有しているから、断熱蓋体の自動ロックが確実である。
【００８２】  請求項４に係る発明では、２重のロック手段を設けているから、被搬送物の管理がより確実である。
請求項５に係る発明では、オペレータのＩＤ情報の照合ができ、被搬送物の管理がより確実である。
【符号の説明】
【００８３】  １：温度管理搬送ボックス、
２：ボックス本体部、
３：部品格納部、
４：開口部、
５：断熱容器、
６：断熱蓋体、
７：開口部、
８：伝熱容器、
９：庫内、
１０：電子温度調整ユニット、
２０：ペルチェ素子、
２３：血液製剤、
２８：記録・表示ユニット、
２９：給電制御用温度センサー、
３０：環境温度検出用温度センサー、
３３：相当温度センサー、
３５：保護板、
３６：ヒンジ部、
３７：ラッチ本体、
３８：係止部、
３９：操作スイッチ、
４０：液晶表示パネル、
４１：情報読取部、
４２：ヒンジ部、
４３：セキュリティ部、
４４：電磁ソレノイド、
４５：磁気センサー、
４７：ロックシャフト、
４９：シャフト受け部材、
５０：永久磁石、
５２：ＩＣタグ。
【図１】
2015131081.tif 000003
【図２】
2015131081.tif 000004
【図３】
2015131081.tif 000005
【図４】
2015131081.tif 000006
【図５】
2015131081.tif 000007
【図６】
2015131081.tif 000008
【図７】
2015131081.tif 000009
【図８】
2015131081.tif 000010
【図９】
2015131081.tif 000011
【図１０】
2015131081.tif 000012